(57)【要約】【課題】堅牢で高い防盗性を確保すること。【解決手段】先端部が外扉３の上面に対向する態様で本体キャビネット１に固定したヒンジプレート１０と、少なくともヒンジプレート１０の先端部上面及び先端部下面を覆う態様で外扉３の上面に固定した防盗体２０とを備え、これら防盗体２０及びヒンジプレート１０を通じて外扉３にヒンジ軸３０を配設することにより、本体キャビネット１に対して外扉３を開閉可能に支承するようにした自動販売機の扉ヒンジ装置であって、ヒンジプレート１０及び防盗体２０の重ね合わせ端面を防盗カバー２３ｂによって覆うようにしている。【選択図】        図１
2005208918.tif 000002
【特許請求の範囲】
【請求項１】
先端部がメイン扉の上面に対向する態様で本体キャビネットに固定したヒンジプレートと、少なくともヒンジプレートの先端部上面及び先端部下面を覆う態様でメイン扉の上面に固定した防盗体とを備え、これら防盗体及びヒンジプレートを通じてメイン扉にヒンジ軸を配設することにより、本体キャビネットに対してメイン扉を開閉可能に支承するようにした自動販売機の扉ヒンジ装置であって、
ヒンジプレート及び防盗体の重ね合わせ端面を覆う態様で防盗カバーを設けたことを特徴とする自動販売機の扉ヒンジ装置。
【請求項２】
個別の防盗体によってヒンジプレートの先端部上面及び先端部下面を覆うとともに、一方の防盗体によって防盗カバーを構成したことを特徴とする請求項１に記載の自動販売機の扉ヒンジ装置。
【請求項３】
ヒンジプレートの先端部上面及び先端部下面を覆う防盗体と防盗カバーとを一体に構成したことを特徴とする請求項１に記載の自動販売機の扉ヒンジ装置。
【発明の詳細な説明】
【技術分野】
【０００１】
本発明は、本体キャビネットに対してメイン扉を開閉可能に支承するようにした自動販売機の扉ヒンジ装置に関するものである。
【背景技術】
【０００２】
図１２〜図１４は、一般的な自動販売機を示したものである。この種の自動販売機では、本体キャビネット１の前面にヒンジプレート２を介してメイン扉である外扉３が開閉可能に配設してある。ヒンジプレート２は、先端部が外扉３の上面に対向する態様で本体キャビネット１に固定したもので、その先端部に外扉３の開閉軸となるヒンジ軸４が設けてある。
【０００３】
【特許文献１】特開平１０−１３１５９４号公報
【発明の開示】
【発明が解決しようとする課題】
【０００４】
ところで、上述したヒンジ軸４は、ヒンジプレート２の軸孔に圧入、もしくは溶接接合する等々、ヒンジプレート２に強固に固着されたものであり、容易に脱落する虞れはない。
【０００５】
しかしながら、昨今にあっては、バールや電動鋸等の工具を用いた盗難が多発するようになっている。すなわち、外扉３の上面に露出したヒンジプレート２やヒンジ軸４を工具によって破壊し、ヒンジ軸４を抜き取る手口である。ヒンジ軸４が抜き取られた場合には、外扉３を本体キャビネット１から取り外すことが可能となり、内部に設けられている貨幣処理装置の貨幣が盗み出されることになる。特に、図１３及び図１４に示した扉ヒンジ装置にあっては、ヒンジプレート２と外扉３の上面との間に遊び間隙が残っていることから、この間隙にバールをこじ入れてヒンジ軸４を抜き取る、あるいは間隙に電動鋸の歯を差し込んでヒンジ軸４を切断する等の手口による盗難の被害を被る虞れがある。
【０００６】
本発明は、上記実情に鑑みて、堅牢で高い防盗性を確保することのできる自動販売機の扉ヒンジ装置を提供することを目的とする。
【課題を解決するための手段】
【０００７】
上記の目的を達成するために、本発明の請求項１に係る自動販売機の扉ヒンジ装置は、先端部がメイン扉の上面に対向する態様で本体キャビネットに固定したヒンジプレートと、少なくともヒンジプレートの先端部上面及び先端部下面を覆う態様でメイン扉の上面に固定した防盗体とを備え、これら防盗体及びヒンジプレートを通じてメイン扉にヒンジ軸を配設することにより、本体キャビネットに対してメイン扉を開閉可能に支承するようにした自動販売機の扉ヒンジ装置であって、ヒンジプレート及び防盗体の重ね合わせ端面を覆う態様で防盗カバーを設けたことを特徴とする。
【０００８】
また、本発明の請求項２に係る自動販売機の扉ヒンジ装置は、上述した請求項１において、個別の防盗体によってヒンジプレートの先端部上面及び先端部下面を覆うとともに、一方の防盗体によって防盗カバーを構成したことを特徴とする。
【０００９】
また、本発明の請求項３に係る自動販売機の扉ヒンジ装置は、上述した請求項１において、ヒンジプレートの先端部上面及び先端部下面を覆う防盗体と防盗カバーとを一体に構成したことを特徴とする。
【発明の効果】
【００１０】
本発明によれば、メイン扉の上面に対向する態様で突出したヒンジプレートの先端部上面及び先端部下面がそれぞれ防盗体によって覆われて外部に露出することがなく、かつヒンジプレートとメイン扉の上面との間の間隙を無くすことができ、バールや電動鋸等の工具を用いた盗難を有効に防止することができるようになる。しかも、ヒンジプレート及び防盗体の重ね合わせ端面を防盗カバーによって覆うようにしているため、自動販売機の外観品質を損なう虞れがないばかりか、扉ヒンジ装置が堅牢な一体ものであるとの印象を与えることができ、盗難を未然に抑制する効果を期待することも可能となる。
【００１１】
この場合、請求項２もしくは請求項３に記載したように、防盗体によって防盗カバーを構成すれば、部品点数が増える事態を招来することがない。
【発明を実施するための最良の形態】
【００１２】
以下に添付図面を参照して、本発明に係る扉ヒンジ装置の好適な実施の形態について詳細に説明する。
【００１３】
図１〜図３は、本発明の実施の形態である自動販売機の扉ヒンジ装置を示したものである。本実施の形態において扉ヒンジ装置の適用対象となる自動販売機は、図１２に示したものと同様に、缶入り飲料やペットボトル入り飲料等の商品を販売するためのもので、本体キャビネット１を備えている。本体キャビネット１は、図には明示していないが、その内部に商品収納ラックを介して商品を収納する断熱構造の箱体である。この本体キャビネット１には、その前面開口に上部扉ヒンジ装置及び下部扉ヒンジ装置を介して外扉３が開閉可能に配設してある。
【００１４】
上部扉ヒンジ装置は、本体キャビネット１に設けたヒンジプレート１０と、外扉３に設けた防盗体２０とを備えて構成してある。
【００１５】
ヒンジプレート１０は、図４に示すように、厚肉の鋼板によって構成した板状部材である。ヒンジプレート１０は、基端部と先端部との間を適宜屈曲させることにより、基端部に対して先端部が上段となるように段状に構成してある。ヒンジプレート１０の先端部には、軸孔部１１及び係合突部１２が設けてある。軸孔部１１は、ヒンジ軸３０が貫通する軸孔１１ａを形成した部分であり、ヒンジプレート１０の一側部側に配設してある。軸孔部１１の周囲には、軸孔１１ａを中心とした弧状の案内面１１ｂが設けてある。係合突部１２は、軸孔１１ａを中心として弧状に突出した部分であり、軸孔部１１から離隔した位置に軸孔部１１の案内面１１ｂに対向するように配設してある。このヒンジプレート１０は、先端部を外扉３の上面から離隔した位置に対向させる態様で、複数のボルト挿通孔１３にボルト１４を挿通締結させることにより基端部を介して本体キャビネット１の天面に強固に固着してある。
【００１６】
一方、防盗体２０は、図１〜図３に示すように、それぞれ厚肉の鋼板によって構成した上方防盗板２１、中間防盗板２２及び下方防盗板２３を備えたものである。
【００１７】
上方防盗板２１は、ヒンジプレート１０の先端部を覆うに十分な大きさに形成したもので、図５に示すように、軸孔１１ａに対応する部位にヒンジ軸孔２１ａを介してヒンジ軸３０を備えている一方、軸孔部１１及び係合突部１２を避けた２位置にそれぞれボルト装着孔２１ｂを介して固定ボルト４０を備えている。これらヒンジ軸３０及び固定ボルト４０は、図２及び図３に示すように、それぞれの頭部を上方防盗板２１に溶接することにより、該上方防盗板２１から同一方向に突出する態様で強固に固着してある。
【００１８】
中間防盗板２２は、ヒンジプレート１０の先端部に設けた軸孔部１１及び係合突部１２と相互に噛み合う形状に構成したものである。具体的に説明すると、図６に示すように、ヒンジプレート１０とほぼ同等の幅を有した前方基部２２ａと、この前方基部２２ａからヒンジプレート１０の軸孔部１１と係合突部１２との間に噛み合うように延在する第１ボルト貫通部２２ｂと、前方基部２２ａからヒンジプレート１０の係合突部１２に他側部で噛み合うように延在する第２ボルト貫通部２２ｃとを有して中間防盗板２２を構成してある。中間防盗板２２の第１ボルト貫通部２２ｂ及び第２ボルト貫通部２２ｃには、それぞれ上方防盗板２１に固着した固定ボルト４０を貫通するためのボルト貫通孔２２ｄが設けてある。
【００１９】
下方防盗板２３は、ヒンジプレート１０の先端部を覆うに十分な大きさに形成したもので、図７及び図８に示すように、上方防盗板２１のヒンジ軸３０及び固定ボルト４０に対応する部位にそれぞれボルト挿通孔２３ａを有している。また、この下方防盗板２３には、その先端部及び他側部に防盗カバー２３ｂが設けてある。防盗カバー２３ｂは、下方防盗板２３の先端縁部及び他側縁部を上方に向けて直角に屈曲することによって下方防盗板２３と一体に構成したもので、上方防盗板２１の板厚及び中間防盗板２２の板厚を合計したものと同等の高さを有している。
【００２０】
これら上方防盗板２１、中間防盗板２２及び下方防盗板２３から成る防盗体２０は、図２、図３、図９及び図１０に示すように、ヒンジプレート１０の先端部に中間防盗板２２を噛み合わせた状態でその下面に下方防盗板２３を重ね合わせ、さらにヒンジプレート１０の軸孔１１ａ及び下方防盗板２３のボルト挿通孔２３ａにヒンジ軸３０を挿通させるとともに、中間防盗板２２のボルト貫通孔２２ｄ及び下方防盗板２３のボルト挿通孔２３ａに固定ボルト４０を挿通させる態様でヒンジプレート１０の先端部上面に上方防盗板２１を重ね合わせて外扉３の上面に固着する。防盗体２０を固着する方法としては、ヒンジ軸３０及び固定ボルト４０をそれぞれ外扉３の上壁３ａに貫通させ、上壁３ａの内側からナット３１，４１を螺合することにより、ヒンジ軸３０及び固定ボルト４０が抜け落ちないように締結してある。また、ヒンジプレート１０の軸孔１１ａには、ヒンジ軸３０との間にカラー３２を回転可能に介在させてある。
【００２１】
尚、下部扉ヒンジ装置に関しては、図には明示していないが、上部扉ヒンジ装置と同様の構成のものを適用しても良いし、従来の一般的な扉ヒンジ装置と同様の構成を有したものを適用しても良い。
【００２２】
上記のような扉ヒンジ装置によって本体キャビネット１に配設した外扉３は、図９及び図１０に示すように、上部扉ヒンジ装置のヒンジ軸３０を中心として開閉することになり、本体キャビネット１の前面開口を開閉することが可能とになる。外扉３が開成する場合、ヒンジプレート１０の先端部と中間防盗板２２とが互いに離反することになるが、ヒンジプレート１０の係合突部１２が軸孔１１ａを中心とした弧状であるため、中間防盗板２２との噛み合いは容易に解除され、開閉操作に支障を来す虞れがない。
【００２３】
ここで、上述した扉ヒンジ装置によれば、ヒンジプレート１０の先端部が上下から厚肉鋼板製の上方防盗板２１及び下方防盗板２３によって覆われることになるとともに、工具を差し込む間隙も極めて小さいものとなる。このため、バールや電動鋸等の工具を用いた場合にもヒンジプレート１０やヒンジ軸３０を破壊することが困難となり、防盗性の点で有利となる。また、無理矢理電動鋸を差し込んだ場合にも、ヒンジ軸３０に到達する以前にカラー３２が空転することになるため、ヒンジ軸３０を切断することも困難となる。さらに、たとえヒンジ軸３０が破壊されたとしても、ヒンジプレート１０の先端部に設けた係合突部１２と中間防盗板２２に設けた第１ボルト貫通部２２ｂ及び第２ボルト貫通部２２ｃとが噛み合った状態にあり、ヒンジ軸３０を中心として外扉３を移動させない限り外扉３を本体キャビネット１の前面から離反させることすら困難となり、内部に設けられている貨幣処理装置の貨幣が容易に盗み出される虞れもなくなる。
【００２４】
しかも、上記扉ヒンジ装置によれば、ヒンジプレート１０及び防盗体２０の重ね合わせ端面が防盗カバー２３ｂによって覆われているため、仮にヒンジプレート１０や防盗体２０の端面に発錆があったとしても自動販売機の外観品質を損なう虞れがない。そればかりか、この防盗カバー２３ｂは、扉ヒンジ装置が堅牢な一体ものであるとの印象を与えることができ、盗難を未然に抑制する効果を期待することも可能となる。
【００２５】
尚、上述した実施の形態では、防盗体２０に防盗カバー２３ｂを一体に設けるようにしているため、部品点数が増える事態を招来することがないが、必ずしも防盗体２０と一体に設ける必要はない。防盗カバー２３ｂを防盗体２０と一体に設ける場合には、必ずしも下方防盗板２３である必要はなく、上方防盗板２１に設けるようにしても良いし、中間防盗板２２と一体に設けることも可能である。さらに、図１１に示すように、上方防盗板１２１と下方防盗板１２３とを一体に設けることにより、これらの間に防盗カバー１２３ｂの機能を持たせるようにしても良い。尚、この図１１に示す変形例においては、実施の形態１と同様の構成に同一の符号を付してある。
【図面の簡単な説明】
【００２６】
【図１】本発明の実施の形態である扉ヒンジ装置を適用した自動販売機の要部を示す斜視図である。
【図２】図１に示した扉ヒンジ装置の断面図である。
【図３】図１に示した扉ヒンジ装置の断面図である。
【図４】図１に示した扉ヒンジ装置のヒンジプレートを示す平面図である。
【図５】図１に示した扉ヒンジ装置の上方防盗板を示す平面図である。
【図６】図１に示した扉ヒンジ装置の中間防盗板を示す平面図である。
【図７】図１に示した扉ヒンジ装置の下方防盗板を示す平面図である。
【図８】図７における矢視 VIII 図である。
【図９】図１に示した扉ヒンジ装置を適用した自動販売機のメイン扉が閉成した状態を示す要部平面図である。
【図１０】図１に示した扉ヒンジ装置を適用した自動販売機のメイン扉が開成した状態を示す要部平面図である。
【図１１】本発明に係る扉ヒンジ装置の変形例を示す要部断面図である。
【図１２】一般的な自動販売機の外観を示す正面図である。
【図１３】従来の扉ヒンジ装置を示す平面図である。
【図１４】図１３に示した扉ヒンジ装置を適用した自動販売機の要部側面図である。
【符号の説明】
【００２７】
１      本体キャビネット
３      外扉
３ａ      上壁
１０      ヒンジプレート
１１      軸孔部
１１ａ      軸孔
１１ｂ      案内面
１２      係合突部
１３      ボルト挿通孔
１４      ボルト
２０      防盗体
２１      上方防盗板
２１ａ      ヒンジ軸孔
２１ｂ      ボルト装着孔
２２      中間防盗板
２２ａ      前方基部
２２ｂ      第１ボルト貫通部
２２ｃ      第２ボルト貫通部
２２ｄ      ボルト貫通孔
２３      下方防盗板
２３ａ      ボルト挿通孔
２３ｂ      防盗カバー
３０      ヒンジ軸
３１，４１      ナット
３２      カラー
４０      固定ボルト
１２１      上方防盗板
１２３      下方防盗板
１２３ｂ      防盗カバー
【図１】
2005208918.tif 000003
【図２】
2005208918.tif 000004
【図３】
2005208918.tif 000005
【図４】
2005208918.tif 000006
【図５】
2005208918.tif 000007
【図６】
2005208918.tif 000008
【図７】
2005208918.tif 000009
【図８】
2005208918.tif 000010
【図９】
2005208918.tif 000011
【図１０】
2005208918.tif 000012
【図１１】
2005208918.tif 000013
【図１２】
2005208918.tif 000014
【図１３】
2005208918.tif 000015
【図１４】
2005208918.tif 000016